(57)【要約】【課題】データ処理装置本体にて取り扱われるデータを偽表示等の不具合を招来することなく的確に表示することのできるデータ処理装置を提供する。【解決手段】データ処理装置本体と、このデータ処理装置本体にて取り扱われるデータを表示する表示器とを備え、前記表示器にて表示するデータの更新周期を前記データ処理装置本体におけるデータの処理周期とは独立に設定した。特に表示器にて表示するデータの更新周期を、残像に起因する偽表示が生じることのない周期として設定する。【選択図】図１
2009122181.tif 000002
【特許請求の範囲】
【請求項１】
データ処理装置本体と、このデータ処理装置本体にて取り扱われるデータを表示する表示器とを備えたデータ処理装置において、
前記表示器にて表示するデータの更新周期を前記データ処理装置本体におけるデータの処理周期とは独立に設定したことを特徴とするデータ処理装置。
【請求項２】
前記表示器にて表示するデータの更新周期は、残像に起因する偽表示が生じることのない周期として設定されるものである請求項１に記載のデータ処理装置。
【請求項３】
前記データ処理装置は、商用交流電源を駆動源として動作するものであって、
前記表示器にてデータを表示するダイナミック点灯の周期は、前記商用交流電源に起因するフリッカが生じることのない周期として設定されるものである請求項１に記載のデータ処理装置。
【発明の詳細な説明】
【技術分野】
【０００１】
本発明は、データ処理装置本体にて取り扱われるデータを表示する表示器を備えたデータ処理装置に関する。
【背景技術】
【０００２】
温度センサを用いて検出された温度情報に基づいて恒温槽や空調設備等の作動を制御する温度調整装置（温調計）のようなデータ処理装置においては、データ処理装置本体にて取り扱うデータ、具体的には前記温度センサによる検出温度や制御目標温度、制御出力値等のデータを表示可能な表示器が設けられる（例えば特許文献１,２を参照）。またデータ処理装置本体に表示器および操作キーを一体に組み込んだデータ処理装置も種々開発されている。
【０００３】
ちなみに従来一般的な温度調整装置（温調計）にあっては、データ処理装置本体での温度制御周期が２００ｍ秒程度であることから、専ら、上記温度制御周期に同期させて前記表示器にて表示するデータを更新している。
【特許文献１】特開２０００−１６１７５８号公報
【特許文献２】特開２００１−３４３３２号公報
【発明の開示】
【発明が解決しようとする課題】
【０００４】
ところで最近、例えば恒温槽での高精度に制御された温度環境を実現するべく、前述したデータ処理装置本体での制御周期を、例えば２５ｍ秒程度と短くすることが検討されている。また逆にオフィス空間における空調制御等においては、データ処理装置本体での負荷を軽減するべく該データ処理装置本体における制御周期を１０秒程度と長く設定することも検討されている。
【０００５】
しかしながらこのようなデータ処理装置本体での制御周期に連動させて前記表示器により表示するデータの更新周期を設定すると、特にその制御周期が短い場合、表示器にて表示されるデータが目まぐるしく変化することになる。すると、例えば温度センサにて検出される検出温度データを、セグメント型の複数桁の数字・文字表示器にて表示するような場合、下位桁の表示値を読み取ることができなくなったり、残像に起因する偽表示が生じる虞が生じる。
【０００６】
またデータ処理装置本体に設定するパラメータ等を前記表示器にて表示し、これをモニタしながらキー操作によって変更する場合、前述した制御周期が長い場合には表示器に表示されるデータの更新周期も長いので、速やかにキー操作することができないと言う不具合が生じる。つまりデータ処理装置に対する各種の設定操作（設定変更）や、表示の切り換え等を円滑に行うことが出来ないと言う問題が生じる。
【０００７】
本発明はこのような事情を考慮してなされたもので、その目的は、データ処理装置本体にて取り扱われるデータを偽表示等の不具合を招来することなく的確に表示することができるデータ処理装置を提供することにある。
また副次的には表示データをモニタしながらのキー操作等が行われるデータ処理装置にあって、操作の円滑化を図ることのできるデータ処理装置を提供することにある。
【課題を解決するための手段】
【０００８】
上述した目的を達成するべく本発明に係るデータ処理装置は、例えばＣＰＵを主体として構成されるデータ処理装置本体と、このデータ処理装置本体にて取り扱われるデータを表示する表示器とを備えたものであって、特に前記表示器にて表示するデータの更新周期を前記データ処理装置本体におけるデータの処理周期とは独立に設定したことを特徴としている。
【０００９】
ちなみに前記表示器にて表示するデータの更新周期については、残像に起因する偽表示が生じることのない周期として設定することが望ましい。また前記表示器をダイナミック点灯駆動してデータを表示するに際して、前記データ処理装置が商用交流電源を駆動源として動作するものである場合には、前記商用交流電源に起因するフリッカが生じることのない周期として設定することが望ましい。
【発明の効果】
【００１０】
本発明によればデータ処理装置本体で取り扱われるデータを表示する表示器でのデータ更新周期を、前記データ処理装置本体におけるデータの処理周期とは独立に設定することができる。換言すれば前記データ処理装置本体での処理速度を高めるべくそのデータの処理周期が短く設定される場合であっても、或いは前記データ処理装置本体の処理負担を軽減するべくそのデータの処理周期が長く設定される場合であっても、これらのデータ処理周期とは独立に前記表示器にて表示するデータの更新周期を設定することができる。
【００１１】
従ってデータ処理装置本体にて取り扱われるデータを、読み取り不能や偽表示等の不具合を招来することなしに的確に表示することが可能となる。また副次的な効果としては、表示データをモニタしながらのキー操作を行う場合であっても、そのキー操作の円滑化を図ることが可能となる。従って表示器をオペレータとの間のマン・マシン・インターフェースとして有効に活用することが可能となる。
【発明を実施するための最良の形態】
【００１２】
以下、図面を参照して本発明の一実施形態に係るデータ処理装置について説明する。
このデータ処理装置は、例えば温度センサにて検出された温度情報に基づいて恒温槽や空調設備等の動作を制御する温度制御装置（温調計）として実現されるものであって、基本的には入力情報（データ）に基づいて所定の処理を実行するデータ処理装置本体と、このデータ処理装置本体にて取り扱われる複数種の情報を選択的に表示する表示器とを備えて構成される。
【００１３】
図１はデータ処理装置の概略構成を示しており、１はマイクロプロセッサ等を主体として構成された制御演算部である。この制御演算部１は、データ入力部２とデータ出力部３とを備えて前述したデータ処理装置本体１０を構築している。またこのデータ処理装置本体１０には、該データ処理装置本体１０（制御演算部１）にて取り扱われる種々の情報（データ）を表示する為の表示器２０が設けられており、更に該データ処理装置本体１０に対して選択指示情報等を入力する為のキー入力部５が設けられている。
【００１４】
前記表示器２０およびキー入力部５は、例えば前記データ処理装置本体１０を内蔵したケース（図示せず）の前面パネルに、例えば図２に示すように組み込まれている。ちなみにこの図２に示す前面パネルに組み込まれた表示器２０は、該前面パネルの上段部に設けられて複数桁（例えば５桁）の数字・文字を表示する為の第１表示部２１と、前記前面パネルの中段部に設けられて複数桁（例えば５桁）の数字・文字を表示する為の第２表示部２２、および複数桁（例えば３桁）の文字・数字を表示する為の補助表示部２３とを主体として構成されている。これらの第２表示部２２および補助表示部２３は、前述した第１の表示部２１より若干小型の表示セグメントを用いて構成されている。
【００１５】
また前記前面パネルにおける前記第１表示部２１の両側部には、予め定められた表示情報の種別を示す情報を略語（略記）表示する複数個のモード表示灯２４およびループ番号表示灯２５が設けられており、また前記第２表示部２２の側部には、予め定められた情報を略語（略記）表示するユーザファンクション表示灯２６が設けられている。更に前記前面パネルにおける前記第２表示部２２の下側には、データ出力に関する複数種のモード表示灯２７が設けられると共に、各種の状態情報を棒状にグラフィック表示する為のマルチステータス表示灯２８が設けられている。
【００１６】
そして前記前面パネルの下段部には前述したキー入力部５を構成する複数のカーソルキーや、各種の動作モードを設定する為の複数種の動作設定キーを含む複数の操作キーが儲けられている。これらの操作キーは、オペレータによる選択的な押圧操作による指示情報の入力に供せられるものである。更に前記前面パネルの下部には、該データ処理装置をパーソナルコンピュータ等の外部機器に接続する為のローダジャックが設けられている。
【００１７】
ちなみにこのように構成されたデータ処理装置（例えば温度調整装置）においては、前述した表示器２０の、特に第１表示部２１および第２表示部２２を用いて、例えば制御目標値（ＳＰ値）や温度センサ等を用いて計測された測定値（ＰＶ値）、外部機器に対する制御値（ＭＶ値）等が選択的に表示される。特に上記第１表示部２１および第２表示部２２にそれぞれ表示する情報の種別は、前記前面パネルに設けられた操作キーの１つであるディスプレイキーの操作に伴って、前述した表示種別切換部６の制御の下で選択的に変更設定される。具体的には第１表示部２１および第２表示部２２にそれぞれ表示する情報はＰＶ値とＳＰ値の組、ＰＶ値とＭＶ値の組等の複数種の表示画面として予め設定されており、例えば前記キー入力部５におけるディスプレイキーが操作される都度、巡回的に変更設定されるようになっている。
【００１８】
さて基本的には上述した如く構成されるデータ処理装置において本発明が特徴とするところは、前述したデータ処理装置本体１０における制御演算部１が、そのデータ処理動作の周期を設定する動作周期設定部１１と、前記表示器２０により表示するデータの更新周期を設定する表示周期設定部１２とを独立に備えている点にある。上記動作周期設定部１１にて設定される前記データ処理動作の周期、および前記表示周期設定部１２にて設定される表示データの更新周期は、前述したキー入力部５から与えられる指示に従って適宜変更設定される。
【００１９】
尚、データ処理装置が商用交流電源によって駆動される場合には、前記制御演算部１に商用交流電源の周波数を検出する電源周波数検出部１３が設けられる。そして前述した動作周期設定部１１および表示周期設定部１２は、後述するように上記電源周波数検出部１３にて検出された電源周期数に応じて前記データ処理動作の周期、およびデータの表示周期をそれぞれ設定するものとなっている。
【００２０】
即ち、このデータ処理装置においては、該データ処理装置の制御対象に応じて前記制御演算部１でのデータ処理動作の周期が前記動作周期設定部１１の下で、例えば２０ｍ秒から１０秒に亘って可変設定しうるように構成されている。尚、上記データ処理動作の周期とは、前記データ入力部２を介して入力データを取り込み、この入力データに基づいて所定の演算処理を施して制御対象に対する出力データを得るような一連の処理を実行する上での繰り返し周期を指す。従ってデータ処理動作の周期は、前記データ入力部２を介してデータを取り込んで前記制御演算部１に与える上での入力データのサンプリング周期、或いは前記制御演算部１にて求められて前記データ出力部３から出力するデータの更新周期であるとも言える。
【００２１】
これに対して前記表示器２０にて表示するデータの更新周期は、上述したデータ処理動作の周期とは独立して前記表示周期設定部１２の下で設定されるようになっている。特にこの表示周期設定部１２の下で設定される表示データの更新周期は、残像に起因する偽表示が生じることのない周期であって、且つ前記商用交流電源に起因するフリッカが生じることのない周期として設定されるようになっている。
【００２２】
即ち、人間の目は一般的には１００ｍ秒程度の残像特性を有しており、例えば表示素子が上記残像特性よりも短い周期で点滅したとしても、あたかも上記表示素子が連続的に点灯しているように認識される。但し、その点滅周期によっては点灯状態が暗く認識されることもある。このような不具合を解消するべく、本発明に係るデータ処理装置においては前述したデータ処理動作の周期とは独立に、前記表示器２０にて表示するデータ（数値）の更新周期を、例えば１００ｍ秒以上にのみ設定し得るようになっている。
【００２３】
具体的には図３に示すように制御演算部１でのデータ処理動作の周期が２５ｍ秒として設定され、データ入力部２を介してＰＶ値を２５ｍ秒毎に取り込む場合であっても、表示器２０により表示する上記ＰＶ値の更新周期は１００ｍ秒として設定される。そして２５ｍ秒毎に取り込まれるＰＶ値が、例えば［１.００］,［１.０３］,［１.０５］,［１.０４］,［１.０３］,［１.０５］…として小刻みに変化するような場合であっても、このＰＶ値を１００ｍ秒毎に取り込むことで前記表示器２０には［１.００］,［１,０４］…として、その概略的な変化の様子を表示するものとなっている。
【００２４】
かくしてこのようにして表示データの更新周期を、データ処理周期とは独立に設定すれば、表示器２０にて実際に表示されるデータが間引かれることになるが、個々の表示データ（数値）については、これを正しく表示することが可能となる。この結果、残像特性に起因する偽表示状態が生じることがなくなるので、表示器２０に表示したデータ（数値）を正しく認識することが可能となる。まして表示器２０によるデータ（数値）の表示は、一般的にはデータ処理装置の動作状態を知る上での目安的なものであるので、上述した間引きは殆ど問題となることはなく、むしろ上記間引きは数値を読み取り易い状態で正しく表示する上で大きく寄与する。
【００２５】
また前述したキー入力部５を介するデータの取り込み周期についても前記演算処理部１におけるデータ処理周期とは独立に設定しておけば、仮に前記演算処理部１におけるデータ処理周期（制御周期）が１０秒程度と長く設定された状態において、前記キー入力部５キー入力操作に応動させてそのキー入力情報を取り込み、これを前記表示器２０にて表示することが可能となる。従ってキー入力操作に対する応答が悪い等の不快感を感じさせることがなくなる。ちなみにこのキー入力情報の取り込み周期については、例えば５０〜１００ｍ秒程度としておけば十分である。
【００２６】
ところでデータ処理装置が商用交流電源を用いて駆動される場合、この商用電源周波数を検出して前述した各周期を設定することが望ましい。即ち、商用交流電源を用いてデータ処理装置を駆動する場合、データ入力部２を介して取り込まれるデータに上記商用交流電源の周波数［５０／６０Ｈｚ］に依存する雑音の影響が生じることが否めない。また表示器２０による情報（データ）の表示についても、上記電源の周波数［５０／６０Ｈｚ］に依存するフリッカが生じることがある。特に表示器２０を構成する複数（複数桁）の表示素子を所定の順番で周期的に点滅させて消費電力を抑制（ダイナミック点灯方式）するような場合、その点灯周期によってはフリッカが生じ易い。
【００２７】
そこで本発明に係るデータ処理装置においてはその駆動源である商用交流電源の周波数［５０／６０Ｈｚ］を検出し、その電源周波数に依存する雑音を除去してデータ入力し得るようにデータ処理周期が設定されている。具体的にはデータ入力部２におけるデータサンプリング周期数を［１０／６ｎ（但し、ｎは自然数）］ｍ秒として設定し、商用交流電源の周波数が［５０Ｈｚ］である場合には、［１２ｎ］回分の入力データを平均化することによって電源周波数に依存する雑音を除去するものとなっている。また商用交流電源の周波数が［６０Ｈｚ］である場合には、［１０ｎ］回分の入力データを平均化することによって電源周波数に依存する雑音を除去するものとなっている。そしてこのようにして雑音成分を除去した入力データを前述した周期で制御演算部１に取り込み、所定の演算処理を施すものとなっている。
【００２８】
また表示器２０による情報（データ）の表示に関しては、前記表示器２０をダイナミック点灯駆動する周期を、上記電源周波数に依存するフリッカが生じることのない周期として設定している。その上でこの表示器２０のダイナミック点灯駆動周期に同期させて、該表示器２０にて表示する情報（データ）の更新周期を前述したように設定するものとなっている。
【００２９】
かくしてこのように構成されたデータ処理装置によれば、電源周波数に依存するフリッカ（ちらつき）を生じることなく、データ処理装置本体１０にて取り扱われるデータを、いわゆる目に易しい状態で正確に表示することができる。従って簡易にして効果的にデータ処理装置の表示器２０にて表示するデータを見易くし、該データ処理装置の取り扱いの容易化を図ることができる等の実用上多大なる効果が奏せられる。
【００３０】
尚、本発明は上述した実施形態に限定されるものではない。例えば上述した条件を満たしながら表示器によるデータの更新周期を固定的に設定しても良いことは勿論のことであるが、キー操作等によって適宜変更可能にしておくことも可能である。またキー入力に対する取り込み周期については、例えば５０ｍ秒や１００ｍ秒として固定的に定めておくようにしても良い。その他、本発明はその要旨を逸脱しない範囲で種々変形して実施することができる。
【図面の簡単な説明】
【００３１】
【図１】本発明の一実施形態に係るデータ処理装置の概略構成図。
【図２】表示器を備えた表面パネルの構成例を示す図。
【図３】本発明に係るデータ処理装置におけるデータ処理周期と表示器による表示データの更新周期との関係を示す図。
【符号の説明】
【００３２】
１  制御演算部
２  データ入力部
３  データ出力部
５  キー入力部
１０  データ処理装置本体
１１  動作周期設定部
１２  表示周期設定部
１３  電源周波数検出部
２０  表示器
【図１】
2009122181.tif 000003
【図２】
2009122181.tif 000004
【図３】
2009122181.tif 000005